(57)【特許請求の範囲】
【請求項１】
衣服が載置される載置面、及び床面に対向する下面を有する台本体と、
前記下面から前記床面に向かう高さ方向に延びるとともに、一端が該下面に沿って延びる第一回動軸回りに回動可能な第一支持脚と、
一端が前記下面に沿ってスライド可能に支持されるとともに、前記第一支持脚に交差した状態で接続され、該第一支持脚に対して前記第一回動軸に平行な第二回動軸回りに回動可能な第二支持脚と、
前記第一支持脚及び前記第二支持脚の交差角度を調節する調節部と、
を備え、
前記調節部は、
前記下面に沿って延びるとともに一端が前記第二支持脚に回動可能に支持された調節バーと、
前記下面に設けられ、前記調節バーを前記下面に沿う方向における複数の異なる位置で係止可能な係止部と、
を有し、
前記調節バーには、該調節バーの上側から下側に向かって凹没するとともに、該調節バーの延びる方向に隙間なく配列された複数の第一溝部、及び前記調節バーの下側から上側に向かって凹没するとともに、該調節バーの延びる方向に前記第一溝部よりも大きいピッチかつ隙間を有して配列された複数の第二溝部が形成され、
前記係止部は、
前記第一溝部と係合する第一係止部、及び該第一係止部と一体に形成されるとともに前記第二溝部と係合する第二係止部を有するアイロン台。
【請求項２】
前記係止部は、
前記調節バーが挿通される孔部が形成されるとともに、前記第一回動軸と平行な第三回動軸回りに回動可能に設けられた係止部本体を有し、
前記係止部本体には、該係止部本体を前記第三回転軸回りに回転するように付勢する付勢部が設けられ、
前記係止部本体は、前記孔部の貫通方向と前記調節バーの延びる方向とが一致する第一位置と、前記貫通方向と前記調節バーの延びる方向とが互いに交差する第二位置との間で回動可能であり、
前記付勢部は、前記係止部本体を前記第一位置から第二位置に向かう方向に付勢している請求項１に記載のアイロン台。
【請求項３】
前記第二溝部は、前記第一溝部よりも前記高さ方向に大きく凹没している請求項１又は２に記載のアイロン台。
【請求項４】
前記第一回動軸の延びる方向に配列された一対の前記調節部を有する請求項１から３のいずれか一項に記載のアイロン台。
【請求項５】
前記第二溝部は、
第一傾斜部と、
前記第一傾斜部よりも前記第二支持脚から遠い位置に設けられた第二傾斜部と、
前記第一傾斜部と第二傾斜部を接続する接続部と、を有し、
前記調節バーの延びる方向に対する前記第二傾斜部の傾斜角が、前記第一傾斜部よりも大きい、
請求項１から４のいずれか一項に記載のアイロン台。
【請求項６】
衣服の筒状部に挿通可能な仕上げ馬本体と、
該仕上げ馬本体に設けられた馬支持脚と、
を有する仕上げ馬をさらに備え、
前記台本体は、前記短辺部に隣接して設けられ、前記馬支持脚の一端を着脱可能に支持
する固定部、及び前記仕上げ馬が収容される収容部を有し、
前記仕上げ馬が前記収容部に収容された状態で、前記仕上げ馬の上面と、前記載置面と
が互いに同じ方向を向いている請求項５に記載のアイロン台。
【請求項７】
前記台本体に設けられて、該台本体に対してスライド可能に支持される支持部と、
該支持部と一体に設けられ、物品を載置可能な載置部と、
を有する請求項１から６のいずれか一項に記載のアイロン台。
【発明の詳細な説明】
【技術分野】
【０００１】
本発明は、衣服にアイロンがけを行う際に用いられるアイロン台に関する。
【背景技術】
【０００２】
衣服にアイロンがけを行う際には、高温のアイロンによって衣服を平面に押し付けることで、シワやヨレを取り除くことができる。このように衣服を載置するための平面を有する器具として、アイロン台が一般的に用いられている。
【０００３】
アイロン台としては種々の形態のものがこれまでに実用化されている。例えば、比較的に床面に近い位置での使用を想定した短い脚を有する形式や、立位での使用を想定した長い脚を有する形式などが挙げられる。このうち、立位での使用を想定したアイロン台の一例として、下記特許文献１に記載されたものが知られている。
【０００４】
特許文献１に記載されたアイロン台は、衣服が載置される本体と、この本体の裏面に折り畳み可能に設けられ、互いに回動自在に交差する一対の脚体（第１脚体、第２脚体）と、を備えている。第１脚体の端部には掛止棒が設けられており、この掛止棒は、本体の裏面に取り付けられた掛止体の溝に係合する。掛止体には溝が複数形成されており、上記掛止棒はこれら複数の溝のうちの任意の一つに係合する。これにより、本体の高さを段階的に調節することができるとされている。
【先行技術文献】
【特許文献】
【０００５】
【特許文献１】実開平１−１４５３９９号公報
【発明の概要】
【発明が解決しようとする課題】
【０００６】
ところで、実際にアイロンがけを行う際には、アイロンの動きに応じて本体に様々な方向から力が加わる。このため、本体は脚体によって可能な限り安定的に支持されていることが望ましい。しかしながら、上記特許文献１に記載されたアイロン台では、力のかかる方向によっては、掛止棒と溝との係合が不用意に解除され、使用中にも関わらず脚体が折り畳まれてしまう虞がある。
また、上記特許文献１に記載されたアイロン台では、溝の数（ピッチ）に応じて掛止棒が係合する位置が決められており、本体の高さ位置を段階的にしか調整することができない。このため、使用者の姿勢や体格に応じたきめ細かな高さ調節ができないという課題もある。
【０００７】
本発明は上記課題を解決するためになされたものであって、より安定的に使用可能であるとともに、きめ細かい高さ調節が可能なアイロン台を提供することを目的とする。
【課題を解決するための手段】
【０００８】
本発明の第一の態様に係るアイロン台は、衣服が載置される載置面、及び床面に対向する下面を有する台本体と、前記下面から前記床面に向かう高さ方向に延びるとともに、一端が該下面に沿って延びる第一回動軸回りに回動可能な第一支持脚と、一端が前記下面に沿ってスライド可能に支持されるとともに、前記第一支持脚に交差した状態で接続され、該第一支持脚に対して前記第一回動軸に平行な第二回動軸回りに回動可能な第二支持脚と、前記第一支持脚及び前記第二支持脚の交差角度を調節する調節部と、を備え、前記調節部は、前記下面に沿って延びるとともに一端が前記第二支持脚に回動可能に支持された調節バーと、前記下面に設けられ、前記調節バーを前記下面に沿う方向における複数の異なる位置で係止可能な係止部と、を有し、前記調節バーには、該調節バーの上側から下側に向かって凹没するとともに、該調節バーの延びる方向に隙間なく配列された複数の第一溝部、及び前記調節バーの下側から上側に向かって凹没するとともに、該調節バーの延びる方向に前記第一溝部よりも大きいピッチかつ隙間を有して配列された複数の第二溝部が形成され、前記係止部は、前記第一溝部と係合する第一係止部、及び該第一係止部と一体に形成されるとともに前記第二溝部と係合する第二係止部を有する。
【０００９】
この構成によれば、第一支持脚と第二支持脚との交差角度を変更することで台本体を所望の高さ位置とすることができる。さらに、第二支持脚に設けられた調節バーを、台本体に設けられた係止部によって係止することで、第二支持脚を第一支持脚に対して固定することができる。これにより、台本体を所望の高さ位置で維持することができる。加えて、係止部は、調節バー上の第一溝部に係合する第一係止部と、第二溝部に係合する第二係止部とを有している。これにより、例えば第一溝部及び第一係止部のみが設けられている場合に比べて、より強固に調節バーと係止部との係合を維持することができる。特に、台本体に加わった外力等によって第一係止部と第一溝部との係合が不用意に解除されて、調節バーが係止部に対して変位してしまった場合であっても、その変位の中途で第二係止部及び第二溝部が係合することで、調節バーと係止部とを再び係合させることができ、これ以上の変位を防止することができる。
【００１０】
本発明の第二の態様に係るアイロン台では、前記係止部は、前記調節バーが挿通される孔部が形成されるとともに、前記第一回動軸と平行な第三回動軸回りに回動可能に設けられた係止部本体を有し、前記係止部本体には、該係止部本体を前記第三回転軸回りに回転するように付勢する付勢部が設けられ、前記係止部本体は、前記孔部の貫通方向と前記調節バーの延びる方向とが一致する第一位置と、前記貫通方向と前記調節バーの延びる方向とが互いに交差する第二位置との間で回動可能であり、前記付勢部は、前記係止部本体を前記第一位置から第二位置に向かう方向に付勢していてもよい。
【００１１】
この構成によれば、係止部本体は第三回動軸回りに沿って、第一位置と第二位置との間で回動可能とされている。第一位置では、係止部本体の孔部の貫通方向と調節バーの延びる方向とが一致しているため、当該調節バーは係止部本体に対して相対変位可能となる。一方で、第二位置では、孔部の貫通方向と調節バーの延びる方向とが互いに交差した状態となる。つまり、孔部の端縁が調節バーに当接した状態となる。すなわち、調節バーに係止部本体が係合した状態となる。このように、係止部本体を第三回動軸回りに回動させることのみによって、容易に調節バーと係止部本体とを係合させたり、その係合を解除したりすることができる。
加えて、付勢部によって係止部本体が上記第二位置に向かって付勢されていることから、付勢部以外による外力を加えることなく、係止部本体と調節バーとの係合状態を維持することができる。
【００１２】
本発明の第三の態様に係るアイロン台では、前記第二溝部は、前記第一溝部よりも前記高さ方向に大きく凹没していてもよい。
【００１３】
この構成によれば、第二溝部が第一溝部よりも高さ方向に大きく凹没している。したがって、第一溝部と第一係止部との係合が不用意に解除された場合であっても、第二係止部を第二溝部に対して、さらに強固に係合させることができる。これにより、調節バーと係止部との係合を安定的に維持することができる。
【００１４】
本発明の第四の態様に係るアイロン台は、前記第一回動軸の延びる方向に配列された一対の前記調節部を有してもよい。
【００１５】
この構成によれば、調節部が一対設けられていることから、例えば当該調節部が一つのみ設けられている場合に比べて、より安定的に台本体の高さ位置を維持することができる。
【００１６】
本発明の第五の態様に係るアイロン台において、第二溝部は、第一傾斜部と、第一傾斜部よりも第一回動軸に近い位置に設けられた第二傾斜部と、第一傾斜部と第二傾斜部を接続する接続部とを有し、調節バーの延びる方向に対する第二傾斜部の傾斜角が、第一傾斜部よりも大きくてもよい。
【００１８】
本発明の第六の態様に係るアイロン台は、衣服の筒状部に挿通可能な仕上げ馬本体と、該仕上げ馬本体に設けられた馬支持脚と、を有する仕上げ馬をさらに備え、前記台本体は、前記短辺部に隣接して設けられ、前記馬支持脚の一端を着脱可能に支持する固定部、及び前記仕上げ馬が収容される収容部を有し、前記仕上げ馬が前記収容部に収容された状態で、前記仕上げ馬の上面と、前記載置面とが互いに同じ方向を向いていてもよい。
【００１９】
この構成によれば、仕上げ馬が設けられていることで、例えばワイシャツやジャケット等の袖部分（筒状部）に容易にアイロンがけを施すことができる。具体的には、仕上げ馬本体を、衣服の筒状部に挿通させることで、筒状部の全周にわたって十分なアイロンがけを施すことができる。
さらに、台本体にはこの仕上げ馬を収容するための収容部が設けられていることから、仕上げ馬を使用しない場合には、これを台本体とともに収容・管理することができる。加えて、仕上げ馬が収容部に収容されている状態では、仕上げ馬の上面と載置面とが互いに同じ方向を向いていることから、載置面に加えて仕上げ馬本体をもアイロンがけ時に使用することができる。つまり、仕上げ馬本体を載置面の延長部分として使用することができる。これにより、例えば通常よりも大型長尺の衣服等に対しても安定してアイロンがけを施すことができる。
【００２０】
本発明の第七の態様に係るアイロン台では、前記台本体に設けられて、該台本体に対してスライド可能に支持される支持部と、該支持部と一体に設けられ、物品を載置可能な載置部と、を有してもよい。
【００２１】
この構成によれば、載置部が設けられていることにより、例えばアイロンがけ中にアイロンを載置部上に一時的に置くことができる。さらに、支持部は台本体に対してスライド可能であることから、アイロン台の不使用時には、支持部を台本体側にスライドさせて収納することができる。これにより、アイロン台の寸法体格を小さく抑えることができる。
【発明の効果】
【００２２】
本発明によれば、より安定的に使用可能であるとともに、きめ細かい高さ調節が可能なアイロン台を提供することができる。
【図面の簡単な説明】
【００２３】
【図１】本発明の実施形態に係るアイロン台の構成を示す斜視図である。
【図２】本発明の実施形態に係るアイロン台を上方から見た図である。
【図３】本発明の実施形態に係るアイロン台を下方から見た図である。
【図４】本発明の実施形態に係るアイロン台を側方から見た図である。
【図５】本発明の実施形態に係るアイロン台の調節部の構成を示す拡大図である。
【図６】本発明の実施形態に係る調節バーの変形例を示す拡大図である。
【図７】本発明の実施形態に係る調節バーの他の変形例を示す拡大図であって、（ａ）は一対の調節バーのうちの一方の調節バーを示し、（ｂ）は他方の調節バーを示している。
【発明を実施するための形態】
【００２４】
本発明の実施形態に係るアイロン台１００について図面を参照して説明する。図１に示すように、本実施形態に係るアイロン台１００は、衣服等が載置される台本体１と、台本体１を床面上で支持する脚部２と、を備えている。
【００２５】
台本体１は、水平面内に広がる板状をなしている。より具体的には、台本体１は、主部１０と、フレーム１１（図３参照）と、アイロン置き３と、仕上げ馬４と、を有している。主部１０は上方から見て略長方形状をなしている。なお、以降の説明では、主部１０の長辺（長辺部１Ｌ）が延びる方向を長軸方向と呼び、短辺（短辺部１Ｓ）が延びる方向を短軸方向と呼ぶ。さらに、これら長軸方向及び短軸方向に直交する方向を高さ方向と呼ぶ。
【００２６】
主部１０は、例えばメッシュ状に形成された骨組みの上に、ポリエステル繊維等で形成されたクッション材と布等の被覆材をかぶせることで形成されている。すなわち、主部１０の形状は、上記の骨組みによって適宜に決定される。主部１０の上側の面は、衣服等を載置するための載置面Ｓ１とされている。載置面Ｓ１は、可能な限り平滑かつ平坦に形成されている。
【００２７】
本実施形態では、載置面Ｓ１（主部１０）は以下のような形状に形成されている。すなわち、図２に示すように、平面視で載置面Ｓ１の長辺部１Ｌの一部には、短軸方向の中央側に向かって凹没するくびれ部５がそれぞれ形成されている。各くびれ部５は、短軸方向の一方側から他方側に向かって曲面状に湾曲している。具体的には、くびれ部５の湾曲形状は、一般的なワイシャツの前身頃（又は後身頃）のチェストからウエストにかけての曲線形状に対応した形状であることが望ましい。また、これらくびれ部５は、いずれも各長辺部１Ｌにおける長軸方向の略中央に設けられている。
【００２８】
載置面Ｓ１の短辺部１Ｓを含む一方側の端部は、長軸方向一方側に向かうにしたがって次第に先細りに形成されることで、絞り部６とされている。より具体的には、絞り部６では、上記のくびれ部５側から当該短辺部１Ｓ側に向かうにしたがって、短軸方向における寸法が次第に縮小している。すなわち、絞り部６の端縁は、長辺部１Ｌの残余の部分に対して斜めに交差する方向に延びている。絞り部６における絞りの度合い（すなわち、絞り部６の端縁と長軸方向との交差角度）は、一般的なワイシャツのアームホール部分の形状に対応していることが望ましい。
【００２９】
さらに、この載置面Ｓ１とは反対側の面（すなわち、下側の面）は、床面と対向する下面Ｓ２とされている。図３に示すように、下面Ｓ２には一対のフレーム１１が取り付けられている。これらフレーム１１は、上記の短軸方向に間隔をあけて設けられている。それぞれのフレーム１１は、長軸方向に直線状に延びている。長軸方向から見た場合、このフレーム１１はＣ字型の断面形状を有している。すなわち、フレーム１１の内側には溝（案内溝１２）が形成されている。この案内溝１２には、後述する脚部２（第二支持脚２２）の端部が収容される。
【００３０】
再び図１を参照して、台本体１には、アイロン等の物品を一時的に載置するためのアイロン置き３と、衣服の袖等にアイロンがけを施す際に用いられる仕上げ馬４と、が設けられている。アイロン置き３は、台本体１のフレーム１１に取り付けられた支持部３０と、アイロンを支持する載置部３１と、を有している。支持部３０は、フレーム１１の案内溝１２に沿ってスライド可能とされている。載置部３１はおおむねカゴ状をなしている。載置部３１と支持部３０はともに金属製の線材等によって一体に形成されている。
【００３１】
仕上げ馬４は、台本体１と同様にメッシュ状の骨組み、及びこれを外側から覆う被覆材によって構成された仕上げ馬本体４０と、馬支持脚４１と、を有している。仕上げ馬本体４０は、平面視で長方形状をなすとともに、上記台本体１よりも小さな面積を有している。また、仕上げ馬本体４０の長辺の寸法は、台本体１の短辺部１Ｓの寸法とおおむね同一とされている。さらに、仕上げ馬本体４０の下側の面には、馬支持脚４１が設けられている。馬支持脚４１は柱状をなすとともに、その一端が仕上げ馬本体４０の下側の面に対して回動可能に支持されている。より具体的には、馬支持脚４１は、仕上げ馬本体４０の下側の面に沿った状態と、当該下側の面に直交した状態との間で回動自在とされている。
【００３２】
台本体１の短辺部１Ｓ上（上記の絞り部６とは反対側の短辺部１Ｓ）には、馬支持脚４１を介して仕上げ馬４を着脱可能に支持するための固定部４２が設けられている。一例として、固定部４２は馬支持脚４１の端部が挿通可能な筒状をなしている。仕上げ馬４を使用する場合には、馬支持脚４１の端部を固定部４２に挿通させることで、台本体１よりも上方の位置で当該仕上げ馬４が支持される。一方で、仕上げ馬４を使用しない場合には、台本体１に設けられた収容部にこれを収容する。収容部は、上記のアイロン置き３と同様にカゴ状をなすとともに、フレーム１１によって支持されている。仕上げ馬４を収容部に収容した状態においては、仕上げ馬本体４０と台本体１の短辺部１Ｓとが互いに隙間なく当接している。なお、図３では、簡略化のため、上記のアイロン置き３及び仕上げ馬４を省略している。
【００３３】
続いて、脚部２の構成について、図３から図５を参照して説明する。脚部２は、互いに交差する一対の支持脚（第一支持脚２１、第二支持脚２２）と、台本体１の高さを調節するための調節部７と、を有している。
【００３４】
第一支持脚２１は、柱状の第一支持脚本体５０と、第一支持脚本体５０の床面側の端部に一体に取り付けられた接地部５１と、を有している。第一支持脚本体５０は、断面矩形状の角パイプによって形成されている。第一支持脚本体５０は、上記の短軸方向に平行に延びる第一回動軸Ａ１を介して下面Ｓ２に取り付けられている。すなわち、第一支持脚２１は、この第一回動軸Ａ１回りに回動可能とされている。第一支持脚２１の延在中途の位置には、後述する第二支持脚２２を第一支持脚２１と連結するための第二回動軸Ａ２が設けられている。この第二回動軸Ａ２も、上記第一回動軸Ａ１と同様に、短軸方向に対して平行に延びている。接地部５１は、短軸方向に延びる棒状をなしている。すなわち、接地部５１は、第一支持脚本体５０に対して直交している。この接地部５１は、後述する第二支持脚２２における接地部６１と同様に、床面に当接することでアイロン台１００を下方から支持する。
【００３５】
第二支持脚２２は、第二支持脚本体６０と、スライド軸６２と、上記接地部５１と同様の接地部６１と、を有している。第二支持脚本体６０は、互いに間隔をあけて平行に配置された一対の第二支持脚半体６２Ｈを有している。これら第二支持脚半体６２Ｈは互いに同等の寸法形状を有している。具体的には、それぞれの第二支持脚半体６２Ｈは、第一支持脚本体５０と同様の角パイプによって形成されている。第二支持脚半体６２Ｈの延在中途の位置には、上記の第二回動軸Ａ２が挿通される。より具体的には、第二支持脚半体６２Ｈ同士の間の間隙に第一支持脚本体５０が挟み込まれた状態で、第二回動軸Ａ２によって第一支持脚本体５０と第二支持脚本体６０とが互いに連結される。つまり、この第二回動軸Ａ２を中心として、第一支持脚本体５０と第二支持脚本体６０とが互いに回動可能に接続されている。
【００３６】
第二支持脚本体６０の一端は、スライド軸６２を介して台本体１の下面Ｓ２に取り付けられている。スライド軸６２は、第二支持脚本体６０の下面Ｓ２側の端部に設けられ、短軸方向に延びる軸本体６３と、この軸本体６３の短軸方向両側の端部に設けられた一対のローラ６４と、を有している。各ローラ６４は、軸本体６３回りに回動自在とされている。また、各ローラ６４は、上述したフレーム１１の案内溝１２内に係合した状態で収容される。すなわち、第二支持脚本体６０は、上記の第二回動軸Ａ２を中心として第一支持脚２１に対して相対的に回転するとともに、これらローラ６４を介して台本体１の下面Ｓ２に対してスライド可能に支持されている。これにより、側方から見た場合における第一支持脚２１と第二支持脚２２との交差角度（つまり、台本体１の高さ方向における位置）が自在に調節可能となっている（図４参照）。
【００３７】
調節部７は、台本体１を任意の高さ位置に調節・固定するために設けられている。調節部７は、第二支持脚２２（スライド軸６２）に取り付けられた調節バー７０と、下面Ｓ２に設けられた係止部８０と、を有している。調節バー７０は、長軸方向に延びる板状をなしている。より詳細には、スライド軸６２に取り付けられた状態において、調節バー７０の厚さ方向は、上記の短軸方向と一致している。調節バー７０の一端は、第二支持脚本体６０の一部に対して回動可能に取り付けられている。
【００３８】
図５に示すように、調節バー７０の高さ方向一方側（上側）の端縁には、当該調節バー７０の延びる方向に配列された複数の溝（第一溝部７１）が形成されている。これら第一溝部７１はおおむね隙間なく配列されている。各第一溝部７１は、調節バー７０の上側の端縁から下側に向かって高さ方向に凹没している。一方で、調節バー７０の高さ方向他方側（下側）の端縁には、当該調節バー７０の延びる方向に等間隔をあけて配列された複数の第二溝部７２が形成されている。本実施形態では、各第二溝部７２は、高さ方向他方側から一方側に向かって円弧状に凹没している。互いに隣接する一対の第二溝部７２同士の間の間隔（ピッチ）は、上記第一溝部７１のピッチよりも大きい。言い換えれば、第二溝部７２の設けられる数は、第一溝部７１の設けられる数よりも少ない。さらに、第二溝部７２は第一溝部７１よりも高さ方向に大きく凹没している。
【００３９】
さらに、調節バー７０の他端（スライド軸６２とは反対側に位置する端部）を含む部分では、高さ方向における寸法が、他の部分よりも小さく設定されている。具体的には、当該端部には、長軸方向に延びる切欠きＲが形成されている。切欠きＲの端面には、上記の第一溝部７１は形成されていない。
【００４０】
再び図３に示すように、本実施形態に係る係止部８０は、一対の係止部本体８２を有している。これら一対の係止部本体８２は、フレーム１１同士の間に架け渡された調節軸８１に取り付けられている。調節軸８１は、短軸方向と平行をなす第三回動軸Ａ３方向に延びる棒状をなしている。調節軸８１の両端部は、フレーム１１に形成された孔にそれぞれ挿通されている。調節軸８１は、フレーム１１に取り付けられた状態において、上記の調節バー７０と直交している。調節軸８１の短軸方向一方側の端部には、当該調節軸８１を操作する際に用いるハンドル８４が設けられている。
【００４１】
係止部本体８２は、調節軸８１における調節バー７０と交差する位置に設けられている。詳しくは図５に示すように、係止部本体８２は、略板状をなすとともに、その中央部には調節バー７０が挿通可能な矩形の孔（孔部Ｈ）が形成されている。孔部Ｈは、調節バー７０の断面形状よりも十分に大きな開孔面積を有している。特に、高さ方向における孔部Ｈの寸法は、高さ方向における調節バー７０の寸法よりも十分に大きく設定されている。なお、詳しくは後述するが、孔部Ｈの高さ方向一方側の端縁は、上記第一溝部７１に係合する第一係止部Ｈ１とされている。孔部Ｈの高さ方向他方側の端縁は、上記第二溝部７２と係合する第二係止部Ｈ２とされている。
【００４２】
以上のように構成された係止部本体８２は、第三回動軸Ａ３回りに回動することで、第一位置Ｐ１と第二位置Ｐ２との間で動くことが可能とされている。より詳細には、図５中の実線で示すように、第一位置Ｐ１では、係止部本体８２は、下面Ｓ２に対して直交した姿勢となる。すなわち、孔部Ｈの貫通方向と調節バー７０の延びる方向とが互いに一致した状態となる。このとき、孔部Ｈの高さ方向両側の端縁（上記の第一係止部Ｈ１、及び第二係止部Ｈ２）は、調節バー７０の高さ方向両側の端縁と離間している。すなわち、調節バー７０は係止部本体８２に対して、上記の長軸方向に自在に変位できる状態となる。
【００４３】
一方で、図５中の鎖線で示すように、第二位置Ｐ２では、係止部本体８２は、下面Ｓ２に対して直交することなく傾斜した姿勢となる。すなわち、孔部Ｈの貫通方向と調節バー７０の延びる方向とが互いに交差した状態となる。このとき、第一係止部Ｈ１及び第二係止部Ｈ２のうち、少なくとも第一係止部Ｈ１は調節バー７０上の任意の第一溝部７１に係合する。すなわち、係止部８０は、調節バー７０を下面Ｓ２に沿う方向における複数の異なる位置で係止することができる。
【００４４】
さらに、一対の係止部本体８２のうち、一方の係止部本体８２（上記のハンドル８４が設けられる側の係止部本体８２）には、当該係止部本体８２を付勢する付勢部８３が設けられている。付勢部８３は、調節軸８１の外周に巻き付けられたねじりばね（トーションばね）である。付勢部８３は、上記の係止部本体８２を、第三回動軸Ａ３回りに回転するように付勢している。より具体的には、付勢部８３は、係止部本体８２を第一位置Ｐ１から第二位置Ｐ２に向かう方向に付勢している。すなわち、付勢部８３に対して外力が加えられていない状態においては、係止部本体８２は第二位置Ｐ２で固定されている。一方で、付勢部８３の弾性力に抗して調節軸８１を回動させた場合（すなわち、上記のハンドル８４を下面Ｓ２方向に押し付けるように操作した場合）、係止部本体８２は、第一位置Ｐ１から第二位置Ｐ２に向かって回動し、第一係止部Ｈ１と第一溝部７１との係合が解除される。
【００４５】
ここで、上述のように調節バー７０は長軸方向における第二支持脚２２の上端の位置に応じて長軸方向に変位可能とされている。したがって、係止部８０が調節バー７０を任意の位置で係止することで、第二支持脚２２が台本体１に対して一時的に固定された状態となる。すなわち、第一支持脚２１に対する第二支持脚２２の交差角度が一時的に固定される。このように第一支持脚２１と第二支持脚２２との交差角度を変更することで、図３で示したように、台本体１の高さ方向における位置が調節される。具体的には、アイロン台１００の使用者は、上記のハンドル８４を下面Ｓ２側に押し付けるように回動・把持した状態で、台本体１を所望の位置にまで昇降させる。その後、ハンドル８４から手を離すことで、当該位置で台本体１の高さが固定される。
【００４６】
以上説明したように、本実施形態に係るアイロン台１００では、第一支持脚２１と第二支持脚２２との交差角度を変更することで台本体１を所望の高さ位置とすることができる。さらに、第二支持脚２２に設けられた調節バー７０を、台本体１に設けられた係止部８０によって係止することで、第二支持脚２２を第一支持脚２１に対して固定することができる。これにより、台本体１を所望の高さ位置で維持することができる。
【００４７】
加えて、調節バー７０には、複数の第一溝部７１が隙間なく形成されていることから、係止部８０と調節バー７０との係合位置を、実質的に無段階に変更することができる。つまり、使用者の体格や姿勢に応じて、アイロン台１００の高さ位置をきめ細かく調節することができる。
【００４８】
さらに加えて、係止部８０は、調節バー７０上の第一溝部７１に係合する第一係止部Ｈ１と、第二溝部７２に係合する第二係止部Ｈ２とを有している。これにより、例えば第一溝部７１及び第一係止部Ｈ１のみが設けられている場合に比べて、より強固に調節バー７０と係止部８０との係合を維持することができる。特に、台本体１に加わった外力等によって第一係止部Ｈ１と第一溝部７１との係合が不用意に解除されて、調節バー７０が係止部８０に対して変位してしまった場合であっても、その変位の中途で第二係止部Ｈ２及び第二溝部７２が係合するため、調節バー７０と係止部８０とを再び係合させることができる。これにより、アイロン台１００をより安定的に使用することができる。
【００４９】
また、上記の構成によれば、係止部本体８２は第三回動軸Ａ３回りに沿って、第一位置Ｐ１と第二位置Ｐ２との間で回動可能とされている。第一位置Ｐ１では、係止部本体８２の孔部Ｈの貫通方向と調節バー７０の延びる方向とが一致しているため、当該調節バー７０は係止部本体８２に対して相対変位可能となる。一方で、第二位置Ｐ２では、孔部Ｈの貫通方向と調節バー７０の延びる方向とが互いに交差した状態となる。つまり、孔部Ｈの端縁が調節バー７０に当接した状態となる。すなわち、調節バー７０に係止部本体８２が係合した状態となる。このように、係止部本体８２を第三回動軸Ａ３回りに回動させることのみによって、容易に調節バー７０と係止部本体８２とを係合させたり、その係合を解除したりすることができる。
加えて、付勢部８３によって係止部本体８２が上記第二位置Ｐ２に向かって付勢されていることから、付勢部８３以外による外力を加えることなく、係止部本体８２と調節バー７０との係合状態を維持することができる。
【００５０】
加えて、上記の構成によれば、第二溝部７２が第一溝部７１よりも高さ方向に大きく凹没している。したがって、第一溝部７１と第一係止部Ｈ１との係合が不用意に解除された場合であっても、第二係止部Ｈ２を第二溝部７２に対して、さらに強固に係合させることができる。これにより、調節バー７０と係止部８０との係合を安定的に維持することができる。特に、第一溝部７１は調節バー７０の高さ方向一方側（上側）に形成されている。ここで、アイロンの動作等に応じて台本体１には上方から力が加わる。上記の構成では、このような上方からの力が大きくなるにしたがって、係止部本体８２（第一係止部Ｈ１）には下方に向かう力が加わる。つまり、第一係止部Ｈ１を第一溝部７１に対して、より強固に係合させることができる。
【００５１】
さらに加えて、上記の構成によれば、調節バー７０の他端を含む部分の高さ方向における寸法が、他の部分よりも小さく設定されている（切欠きＲが形成されている）ことから、当該切欠きＲでは係止部８０との係合がなされないようになっている。ここで、調節バー７０と係止部８０との係合位置が該調節バー７０の端部（他端）に近くなるほど、第一支持脚２１と第二支持脚２２との交差角度が大きくなる。交差角度が大きい場合、アイロンの動き等に応じて台本体１に上方から加わった力は、調節バー７０の延びる方向に沿う成分（分力）をより多く含むようになる。この分力が大きくなると、係止部８０と調節バー７０とが相対移動しようとするため、係止部８０が調節バー７０に対して滑ってしまい、両者の係合が解除されてしまう虞がある。しかしながら、上記の構成によれば、他端を含む部分では係止部８０による係合が得られないようになっていることから、上記のように不安定な状態でアイロン台１００が使用されてしまうリスクを低減することができる。
【００５２】
また、上記の構成によれば、調節部７が一対設けられていることから、例えば当該調節部７が一つのみ設けられている場合に比べて、より安定的に台本体１の高さ位置を維持することができる。
【００５３】
さらに、上記の構成では、台本体１の長辺部１Ｌにくびれ部５が形成されているとともに、台本体１の少なくとも一方の端部に絞り部６が形成されている。したがって、アイロン台１００を用いて一般的なワイシャツにアイロンがけを施す場合、ワイシャツの前身頃（又は後身頃）のチェストからウエストにかけての曲線部をくびれ部５に沿わせるとともに、ワイシャツのアームホール部分を絞り部６に沿わせるように載置することができる。これにより、台本体１の載置面Ｓ１上で、ワイシャツに不用意なシワやたるみを生じさせることなく、アイロンがけを施すことができる。一方で、台本体１が直線状、又は単純な曲線状の辺部のみによって構成されている場合には、上述したワイシャツの曲線部やアームホール部分が台本体１の辺部にフィットしないため、その周辺にシワやたるみが生じてしまい、満足の行く仕上がりが得られない可能性がある。
【００５４】
加えて、上記の構成によれば、仕上げ馬４が設けられていることで、例えばワイシャツやジャケット等の袖部分（筒状部）に容易にアイロンがけを施すことができる。具体的には、仕上げ馬本体４０を、筒状部の内側に挿通させることで、筒状部の全周にわたって十分なアイロンがけを施すことができる。
さらに、台本体１にはこの仕上げ馬４を収容するための収容部が設けられていることから、仕上げ馬４を使用しない場合であっても、これを台本体１とともに収容・管理することができる。また、仕上げ馬４が収容部に収容されている状態では、台本体１の短辺部１Ｓと仕上げ馬本体４０とが互いに隙間なく当接しているとともに、仕上げ馬４０の上面と載置面Ｓ１とが互いに同じ方向を向いている（同一の面上に広がっている）ことから、載置面Ｓ１に加えて仕上げ馬本体４０をもアイロンがけ時に使用することができる。つまり、仕上げ馬本体４０を載置面Ｓ１の延長部分として使用することができる。これにより、例えば通常よりも大型長尺の衣服等に対しても安定してアイロンがけを施すことができる。
【００５５】
さらに、上記の構成によれば、アイロン置き３が設けられていることにより、例えばアイロンがけ中にアイロンを一時的に置いておくことができる。さらに、アイロン置き３の支持部３０は台本体１に対してスライド可能であることから、アイロン台１００の不使用時には、アイロン置き３全体を台本体１側にスライドさせて収納することができる。これにより、アイロン台１００の保管時の寸法体格を小さく抑えることができる。
【００５６】
以上、本発明の実施形態について図面を参照して説明した。なお、本発明の要旨を逸脱しない限りにおいて、上記の構成に種々の変更を加えることが可能である。例えば、上述のアイロン置き３、及び仕上げ馬４を備えない構成を採ることも可能である。
また、上記実施形態では、台本体１の構成として、メッシュ状の骨組みに被覆材をかぶせる構成を例にとって説明したが、台本体１を構成するに当たってはこれまでに実用化されている他の構成や材料を採用することも可能である。
【００５７】
さらに、上記実施形態では、第二溝部７２が、高さ方向他方側から一方側に向かって円弧状に凹没している例について説明した。しかしながら、第二溝部７２の形状は上記実施形態によっては限定されない。他の例として、例えば図６に示すように、第二溝部７２はおおむね三角形状に凹没していてもよい。より具体的には、同図における第二溝部７２は、第一傾斜部７２Ａと、第二傾斜部７２Ｂと、接続部７２Ｃと、を有している。第一傾斜部７２Ａは、長軸方向の一方側から他方側に向かうにしたがって下側から上側に延びている。第二傾斜部７２Ｂは、長軸方向の一方側から他方側に向かうにしたがって上側から下側に延びている。また、第一傾斜部７２Ａと第二傾斜部７２Ｂとは、曲面状の接続部７２Ｃによって連続的に接続されている。第二傾斜部７２Ｂは、第一傾斜部７２Ａに比べて、長軸方向に対する傾斜の度合いが大きくなっている。すなわち、第二傾斜部７２Ｂは、第一傾斜部７２Ａに比べて、係止部８０の延びる方向に沿っている。
【００５８】
このような構成によれば、係止部８０（第二係止部Ｈ２）を、第二溝部７２に対してより安定的に係合させることができる。特に、台本体１に上方から力が加わることで、第二係止部Ｈ２が第二傾斜部７２Ｂに対して押圧された場合であっても、第二係止部Ｈ２が第二傾斜部７２Ｂを乗り越えて変位してしまう虞を低減することができる。
【００５９】
また、上記実施形態では、第一溝部７１と第二溝部７２とが形成された調節バー７０を一対設けた例について説明した。しかしながら、調節バー７０の構成は上記実施形態によっては限定されない。他の例として、例えば図７（ａ）と図７（ｂ）に示すように、一対の調節バー７０のうち、一方の調節バー７０には第一溝部７１のみが形成され、他方の調節バー７０には第二溝部７２のみが形成されていてもよい。
【００６０】
加えて、上記実施形態では、第一支持脚２１は１つの第一支持脚本体５０を有し、第二支持脚２２（第二支持脚本体６０）は、一対の第二支持脚半体６２Ｈを有する構成について説明した。しかしながら、脚部２の構成は上記実施形態によっては限定されない。他の構成として、第一支持脚２１及び第二支持脚２２がそれぞれ１つの柱体によって形成されていてもよい。また、第一支持脚２１が、上記実施形態における第二支持脚２２と同様に、互いに独立した一対の半体によって構成されていてもよい。すなわち、第一支持脚２１及び第二支持脚２２がそれぞれ２つずつの柱体によって形成されていてもよい。
【符号の説明】
【００６１】
１…台本体
１Ｌ…長辺部
１Ｓ…短辺部
２…脚部
３…アイロン置き
４…仕上げ馬
５…くびれ部
６…絞り部
７…調節部
１０…主部
１１…フレーム
１２…案内溝
２１…第一支持脚
２２…第二支持脚
３０…支持部
３１…載置部
４０…仕上げ馬本体
４１…馬支持脚
４２…固定部
５０…第一支持脚本体
５１…接地部
６０…第二支持脚本体
６１…接地部
６２…スライド軸
６２Ｈ…第二支持脚半体
６３…軸本体
６４…ローラ
７０…調節バー
７１…第一溝部
７２…第二溝部
７２Ａ…第一傾斜部
７２Ｂ…第二傾斜部
７２Ｃ…接続部
８０…係止部
８１…調節軸
８２…係止部本体
８３…付勢部
８４…ハンドル
１００…アイロン台
Ａ１…第一回動軸
Ａ２…第二回動軸
Ａ３…第三回動軸
Ｈ…孔部
Ｈ１…第一係止部
Ｈ２…第二係止部
Ｐ１…第一位置
Ｐ２…第二位置
Ｒ…切欠き
Ｓ１…載置面
Ｓ２…下面
【図１】
0006652879.tif 000002
【図２】
0006652879.tif 000003
【図３】
0006652879.tif 000004
【図４】
0006652879.tif 000005
【図５】
0006652879.tif 000006
【図６】
0006652879.tif 000007
【図７】
0006652879.tif 000008